(57)【要約】【課題】マヨネーズやケチャップ等の粘稠な調味料で潰れている容器内に衛生的に空気を送り込み、膨らましてマヨネーズ等を吐出口に容易に落下移動させると共に、常時逆さまに維持することで直ぐに使用できる。【解決手段】容器２の吐出口３に着脱自在に装着するキャップ本体４に形成したキャップ螺合部７と、キャップ螺合部７に連続形成すると共に、容器２内に吐出口３から空気を送り込むように構成した空気取入部と、空気取入部に取り付けた、外部からの空気を取り込むための逆止弁６と、を備えた。【選択図】　　図１
2004075169.tif 000002
【特許請求の範囲】
【請求項１】
マヨネーズやケチャップ等の粘稠な調味料を入れる容器（２）の吐出口（３）に着脱自在に装着するキャップ本体（４）に形成したキャップ螺合部（７）と、
該キャップ螺合部（７）に連続形成すると共に、前記容器（２）内に前記吐出口（３）から空気（ａ）を送り込むように構成した空気取入部と、
該空気取入部に取り付けた、外部からの空気（ａ）を取り込むための逆止弁（６）と、
を備えた、ことを特徴とする調味料容器の加圧器具。
【請求項２】
前記空気取入部は、前記キャップ螺合部（７）に連続するように構成したポンプ（５）である、ことを特徴とする請求項１の調味料容器の加圧器具。
【請求項３】
前記空気取入部は、前記キャップ螺合部（７）の締め付ける回転軸方向に蛇腹形状の胴部が伸縮するように構成したポンプ（５）である、ことを特徴とする請求項１の調味料容器の加圧器具。
【請求項４】
前記ポンプ（５）内にスプリング（９）を入れた、ことを特徴とする請求項２又は３の調味料容器の加圧器具。
【請求項５】
前記空気取入部は、前記キャップ螺合部（７）に連続形成したシリンダー（１０）内に組み付けたピストン（１１）の前後動により空気を取り込むように構成したものである、ことを特徴とする請求項１の調味料容器の加圧器具。
【発明の詳細な説明】
【０００１】
【発明の属する技術分野】
本発明は、マヨネーズやケチャップ等の粘稠な調味料を充填した可撓性を有する容器の補助器具に係り、特に容器内に収容された粘稠な調味料の残量が少なくなっても押し出し易くするための調味料容器の加圧器具に関するものである。
【０００２】
【従来の技術】
マヨネーズやケチャップ等の粘稠な調味料は、例えば、ポリプロピレン等の可撓性を有する容器内に充填されている。このマヨネーズ等を使用するときは、キャップを外して容器を握りマヨネーズ等を吐出口から押し出すようになっている。このマヨネーズ等の容器は、開封直後には、可撓性を有する容器を手で押圧し、粘稠なマヨネーズ等を容易に使用することができる。しかし、使用して行くにつれて容器内の残量が減少し、容器内の空間が広がる。この残量が減少した容器は、そのキャップが上向きに置かれたものを取り上げて使用するときは、マヨネーズ等が吐出口に落下移動するまでに時間がかかるようになり、徐々に使い勝手が悪くなった。
【０００３】
そこで、冷蔵庫内又は食卓上において、容器を常時逆さに立てかける補助器具が提案されている。例えば、マヨネーズ等の容器を冷蔵庫内において、キャップを下向きにして吊り下げるような補助器具がある。また、逆さにしたマヨネーズ等の容器のキャップ部分を入れて立てかけることができる漏斗状に形成したスタンドも提案されている。
【０００４】
【発明が解決しようとする課題】
しかし、容器内の残量が減少して容器内の空間が広がったものは、その潰れている容器の内壁面にマヨネーズやケチャップ等の粘稠な調味料が貼り付いた状態になり、この容器を逆さまにしても、マヨネーズ等は完全に容器のキャップ側に落下移動しないという問題を有していた。
【０００５】
一方、容器内部に空気を吹き込んで、容器を膨らましてその容器の内壁面を扁平にしてマヨネーズやケチャップ等の粘稠な調味料を吐出口に落下移動させやすくする。但し、家庭内ではキャップから内部に空気を入れるために息を吹き込むことは衛生面で問題を有していた。そこで、家庭用は勿論のこと、業務用の容器にも内部に空気を簡単に入れられる補助器具の提案が望まれていた。
【０００６】
本発明は、かかる問題点を解決するために創案されたものである。すなわち、本発明の目的は、簡単な構造の器具を用いるだけで、マヨネーズやケチャップ等の粘稠な調味料で潰れている容器内に衛生的に空気を送り込み、膨らましてマヨネーズ等を吐出口に容易に落下移動させると共に、常時逆さまに維持することで直ぐに使用できる調味料容器の加圧器具を提供することにある。
【０００７】
【課題を解決するための手段】
本発明によれば、マヨネーズやケチャップ等の粘稠な調味料を入れる容器（２）の吐出口（３）に着脱自在に装着するキャップ本体（４）に形成したキャップ螺合部（７）と、該キャップ螺合部（７）に連続形成すると共に、前記容器（２）内に前記吐出口（３）から空気（ａ）を送り込むように構成した空気取入部と、該空気取入部に取り付けた、外部からの空気（ａ）を取り込むための逆止弁（６）と、を備えた、ことを特徴とする調味料容器の加圧器具が提供される。
【０００８】
前記空気取入部は、前記キャップ螺合部（７）に連続するように構成したポンプ（５）、又は前記キャップ螺合部（７）の締め付ける回転軸方向に蛇腹形状の胴部が伸縮するように構成したポンプ（５）である。このポンプ（５）内にスプリング（９）を入れる、ことが好ましい。
【０００９】
上記構成の発明では、マヨネーズやケチャップ等を使用開始するとき、又は半分程度使用したときに、その市販の容器（２）に取り付けられたキャップを取り外して、調味料容器の加圧器具（１）をキャップ螺合部（７）から装着する。マヨネーズ等を使用して行くにつれて、容器（２）内の残量が減少して容器（２）が潰れてきたら、ポンプ（５）を押し込むことにより伸縮させ、容器（２）の吐出口（３）から空気（ａ）を送り込み、容器（２）内に空気（ａ）を充満させる。この膨らました容器（２）を逆さにおくことにより、マヨネーズ等を吐出口（３）に容易に落下移動させることができる。そこで、残量が減少した容器（２）であっても、内部のマヨネーズ等を吐出口（３）から容易に押し出すことができる。なお、容器（２）内部のマヨネーズ等は、逆止弁（６）によって不用意に滲み出ることはない。
【００１０】
前記ポンプ（５）内にスプリング（９）を入れることにより、収縮したポンプ（５）は元の位置に戻りやすいので外部からの空気（ａ）を迅速に取り入れることができる。そこで、大容量の容器（２）内に迅速に空気（ａ）を入れることができる。
【００１１】
前記空気取入部は、前記キャップ螺合部（７）に連続形成したシリンダー（１０）内に組み付けたピストン（１１）の前後動により空気（ａ）を取り込むように構成することができる。このような構成により簡単に容器（２）内部に空気を入れることができる。
【００１２】
また、前記キャップ本体（４）は、容器（２）を逆さに立て掛けられる程度の重量を有するので、この調味料容器の加圧器具（１）で空気を入れられるだけではなく、容器（２）を逆さまに立てかけることができるスタンドとしても機能する。そこで、常に内部のマヨネーズ等を吐出口（３）から押し出しやすくなる。
【００１３】
【発明の実施の形態】
以下、本発明の好ましい実施の形態を図面を参照して説明する。
図１は本発明の調味料容器の加圧器具の実施の形態を示す拡大断面図である。図２は加圧器具をマヨネーズ等の容器に取り付けた状態を示す断面図である。図３（ａ）、（ｂ）は調味料容器の加圧器具の動作状態を示す断面図であり、（ａ）は膨張状態であり、（ｂ）は収縮状態を示すものである。
本発明の調味料容器の加圧器具１は、マヨネーズやケチャップ等の粘稠な調味料を入れる容器２の吐出口３に着脱自在に装着する略筒形状のキャップ本体４と、容器２の吐出口３から空気ａを送り込む空気取入部（ポンプ５）と、キャップ本体４に取り付けた逆止弁６と、を備えたものである。
【００１４】
キャップ本体４は、容器２の吐出口３に着脱自在に装着するためのキャップ螺合部７を形成したものである。このキャップ本体４は市販の容器２に取り付けられたキャップを取り外して、キャップ螺合部７から装着する。このキャップ本体４の取り付けは、マヨネーズやケチャップ等を使用始めのとき、又は半分程度使用したときのいずれでもよい。
【００１５】
空気取入部は、ポリプロピレン等の可撓性を有する蛇腹形状の胴部を伸縮させるように構成したポンプ５であり、このポンプ５は、キャップ螺合部７の締め付け軸方向に蛇腹形状の胴部が伸縮するように構成したものである。このポンプ５の一部に外部からの空気ａを取り込むための逆止弁６を設けたものである。また、容器２内部のマヨネーズ等が不用意に滲み出ないように、キャップ螺合部７の近くにも漏れ防止用の逆止弁８を設けている。
【００１６】
図４はポンプの内にスプリングを入れた他の実施の形態を示す断面図である。
このポンプ５は、容器２に吐出口３から空気ａを送り込むように構成したものである。このポンプ５内にスプリング９を入れることにより、このポンプ５内に外部からの空気ａを容易に取り入れることができるので、大容量の容器２に対して迅速に空気を入れることができる。
【００１７】
このように構成した調味料容器の加圧器具１は、市販のマヨネーズやケチャップ等の容器２に取り付けられたキャップを取り外して、調味料容器の加圧器具１をキャップ螺合部７から装着する。マヨネーズ等を使用して行くにつれて、容器２内の残量が減少して容器２が潰れてきたら、ポンプ５を押し込むことによる伸縮させ、容器２の吐出口３から空気ａを送り込み、容器２内に空気ａを充満させる。この容器２を膨らまし、逆さにおくことにより、マヨネーズ等を吐出口３に容易に落下移動させることができる。そこで、残量が少なくなった容器２であっても、内部のマヨネーズ等を吐出口３から容易に押し出すことができる。更に、使用していき残量が少なくなったときは同様な動作を繰り返して、マヨネーズ等を吐出口３に落下移動させるようにその容器２内に空気を入れる。
【００１８】
なお、ポンプ５の構成は、上述した図１に示すようなに形状に限定されずに、ポンプ５は、キャップ螺合部７の締め付け軸方向に対して略垂直方向に蛇腹形状の胴部が伸縮するように構成することができる。このように構成することにより、より簡単に容器内部に空気ａを入れることができる。
【００１９】
図示するように、キャップ本体４自体にある程度の重みがあるために、調味料容器の加圧器具１で空気を入れられるだけではなく、逆さにしたマヨネーズ等の容器２のキャップ部分を入れて立てかけるスタンドとしても機能する。そこで、常に内部のマヨネーズ等が落下移動し易いので吐出口３から押し出しやすくなる。
【００２０】
図５はシリンダーとピストンからなる空気取入部の他の実施の形態を示す断面図である。
空気取入部は、上述したポンプ５のようなに構成に限定されずに、空気取入部は、シリンダー１０内に組み付けたピストン１１の前後動により空気を取り込むように構成することができる。このシリンダー１０の一部には逆止弁６を設けている。このシリンダー１０とピストン１１による構成では、大量の空気を容器２内に容易に取り込むことができる。
【００２１】
なお、本発明は上述した発明の実施の形態に限定されず、キャップを兼用するポンプ５又はシリンダー１０とピストン１１からなる空気取入部により容器２内に衛生的に空気ａを入れることができる構造であれば、図示したような蛇腹構造、ピストン構造に限定されず、本発明の要旨を逸脱しない範囲で種々変更できることは勿論である。
【００２２】
【発明の効果】
本発明の調味料容器の加圧器具は、マヨネーズやケチャップ等の粘稠な調味料の残量が少なくなり潰れてきた容器内に衛生的に空気を送り込み、この容器を膨らまして逆さにしておくことにより、マヨネーズ等を吐出口に容易に落下移動させると共に、この容器を常時逆さまに維持することで直ぐに使用できる。
【００２３】
また、キャップ本体は、容器を逆さに立て掛けられる程度の重量を有するため、この容器を逆さまに立てかけることができるスタンドとしても機能するので、常に内部のマヨネーズ等を吐出口から押し出しやすくなる、等の効果がある。
【図面の簡単な説明】
【図１】本発明の調味料容器の加圧器具の実施の形態を示す拡大断面図である。
【図２】加圧器具をマヨネーズ等の容器に取り付けた状態を示す断面図である。
【図３】加圧器具の動作状態を示す断面図であり、（ａ）は膨張状態であり、（ｂ）は収縮状態を示すものである。
【図４】ポンプの内にスプリングを入れた他の実施の形態を示す断面図である。
【図５】シリンダーとピストンからなる空気取入部の他の実施の形態を示す断面図である。
【符号の説明】
１　調味料容器の加圧器具
２　容器
３　吐出口
４　キャップ本体
５　ポンプ（空気取入部）
６　逆止弁（空気取入れ用）
７　キャップ螺合部
８　逆止弁（漏れ防止用）
９　スプリング
１０　シリンダー（空気取入部）
１１　ピストン（空気取入部）
【図１】
2004075169.tif 000003
【図２】
2004075169.tif 000004
【図３】
2004075169.tif 000005
【図４】
2004075169.tif 000006
【図５】
2004075169.tif 000007